(57)【要約】      （修正有）【課題】既設のトイレを利用した簡便な非常用トイレキットを提供する。【解決手段】非常用トイレキットは、便器１の内側であって水たまり部３の水面よりも上方に載置される下敷き部材１１と、下敷き部材の上に載置されると共に便器を覆う袋部材１２と、袋部材の中に敷かれる吸水材セットと、吸水材セットを扱う際に用いられる手袋とを有し、吸水材が、使用済紙おむつを原料としている。吸水材セットは、排泄前に袋部材の中に敷かれる排泄前用吸水材１６と、排泄後に排泄物に掛けられる排泄後用吸水材１７とを有し、排泄物は、排泄前用吸水材によって吸収され、排泄後用吸水材によって覆われることで完全に吸収される。【選択図】図３
0003224642.tif 000002
【実用新案登録請求の範囲】
【請求項１】
便器の内側に載置される下敷き部材と、
前記下敷き部材の上に載置されると共に前記便器を覆う袋部材と、
前記便器の内側において前記袋部材の上に敷かれる吸水材と、を有し、
前記吸水材が、使用済紙おむつを原料とする、
ことを特徴とする非常用トイレキット。
【請求項２】
前記吸水材が、
排泄前に敷かれる排泄前用吸水材と、
排泄後に排泄物に掛けられる排泄後用吸水材と、から構成された、
ことを特徴とする請求項１に記載された非常用トイレキット。
【請求項３】
前記下敷き部材が、前記便器の水たまり部において当該便器の内側によって支持される大きさである、
ことを特徴とする請求項１または請求項２に記載された非常用トイレキット。
【請求項４】
前記吸水材を扱う際に用いられる手袋と、
前記下敷き部材と、前記袋部材と、前記吸水材とが、単一の箱に収容された、
ことを特徴とする請求項１から請求項３のいずれか１項に記載された非常用トイレキット。
【考案の詳細な説明】
【技術分野】
【０００１】
本考案は、非常時において便器に取り付けられる非常用トイレキットに関するものである。
【背景技術】
【０００２】
従来、災害時において、被災地には、避難者が利用するための仮設トイレが設置される。例えば、下記特許文献１に記載された組立て式トイレは、板材で組み立てられた箱や発泡スチロール製の便座などから構成されている。
【先行技術文献】
【特許文献】
【０００３】
【特許文献１】特開２０１９−１３５２３号公報
【考案の概要】
【考案が解決しようとする課題】
【０００４】
災害の度合いは様々であり、発令された警戒レベルが高い場合は、避難所において、上記した組み立て式トイレが役に立つと思われる。一方で、警戒レベルが低く、自宅で待機するものの、停電や断水が起きた場合、長時間水洗トイレが使用できなくなる。仮に、上記した組立て式トイレが自宅に備えられていたとしても、この組み立て式トイレを既設のトイレとは別に設置する必要があり、組み立ての手間や設置場所の確保が面倒である。
【０００５】
本考案は、この様な実情に鑑みて提案されたものである。すなわち、既設のトイレを利用した簡便な非常用トイレキットの提供を目的とする。
【課題を解決するための手段】
【０００６】
上記目的を達成するために、本考案に係る非常用トイレキットは、便器の内側に載置される下敷き部材と、前記下敷き部材の上に載置されると共に前記便器を覆う袋部材と、前記便器の内側において前記袋部材の上に敷かれる吸水材と、を有し、前記吸水材が、使用済紙おむつを原料とする。
【０００７】
本考案に係る非常用トイレキットは、前記吸水材が、排泄前に敷かれる排泄前用吸水材と、排泄後に排泄物に掛けられる排泄後用吸水材と、から構成された、ことを特徴とする。
【０００８】
本考案に係る非常用トイレキットは、前記下敷き部材が、前記便器の水たまり部において当該便器の内側によって支持される大きさである、ことを特徴とする。
【０００９】
本考案に係る非常用トイレキットは、前記吸水材を扱う際に用いられる手袋と、前記下敷き部材と、前記袋部材と、前記吸水材とが、単一の箱に収容された、ことを特徴とする。
【考案の効果】
【００１０】
本考案に係る非常用トイレキットは、便器の内側に載置される下敷き部材と、下敷き部材の上に載置されると共に便器を覆う袋部材と、便器の内側において袋部材の上に敷かれる吸水材とを有し、吸水材が、使用済紙おむつを原料としている。すなわち、既設の便器に取り付けられるため、組み立ての手間や設置場所の確保が不要であり、簡便である。また、一般的に、紙おむつは吸水性があるため、紙おむつを原料とした吸水材は、排泄物を吸水する。特に、従来では廃棄されていた使用済紙おむつが再利用されるため、資源を無駄なく活用することができ、また、安価であるし、人体にも無害である。使用済の吸水材は、袋部材ごと便器から取り外されるため、後片付けが容易である。また、可燃ごみであるため、そのまま廃棄することができる。なお、柄杓等で水を直接便器に流して排泄物を流すことも可能であるが、この場合、タンクの貯水量容積に相当する１０リットル程度の水を要するところ、本考案であれば、吸水材に吸収させることで、排水を要しないため、簡便であり、断水時における節水にも資する。
【００１１】
本考案に係る非常用トイレキットは、吸水材が、排泄前に敷かれる排泄前用吸水材と、排泄後に排泄物に掛けられる排泄後用吸水材と、から構成されている。排泄物は、排泄前用吸水材によって吸収され、排泄後用吸水材によって覆われると共に吸収される。したがって、排泄物の周囲を各吸水材で覆うことで、完全に吸水することができる。また、外観上、排泄物を吸水材で遮蔽することができる。
【００１２】
本考案に係る非常用トイレキットは、下敷き部材が、便器の水たまり部において当該便器の内側によって支持される大きさである。この構成により、袋部材は、下敷き部材に支持されるため、水たまり部の水によって濡れることが無い。また、下敷き部材も、濡れることがない。
【００１３】
本考案に係る非常用トイレキットは、吸水材を扱う際に用いられる手袋と、下敷き部材と、袋部材と、吸水材とが、単一の箱に収容されている。例えば、この非常用トイレキットが、災害時における備蓄品として、自宅や自治体等において保管されれば、災害時に備えることができる。また、仮設トイレ等の大掛かりなものではないため、保管や運搬が容易である。
【図面の簡単な説明】
【００１４】
【図１】図１は、本考案の実施形態に係る非常用トイレキットが示された全体斜視図である。
【図２】図２は、本考案の実施形態に係る非常用トイレキットにおける吸水材の製造過程が模式的に示された説明図である。
【図３】図３は、本考案の実施形態に係る非常用トイレキットの使用状態が示された説明図である。
【考案を実施するための形態】
【００１５】
以下に、本考案の実施形態に係る非常用トイレキットを図面に基づいて説明する。図１は、本実施形態に係る非常用トイレキット１０の全体が示されている。
【００１６】
図１に示されているとおり、非常用トイレキット１０は、単一の平板状の下敷き部材１１と、複数の袋部材１２と、複数の吸水材セット１４と、複数の手袋１８とが、単一の箱１９に収容されたものである。下敷き部材１１は、例えば、段ボールや厚紙等であり、洋式の便器１の水たまり部３において水面よりも上方で便器１の内側によって支持される程度の大きさである（図３参照。）。なお、下敷き部材１１の形状は、便器１の形状に応じて任意である。下敷き部材１１は、適宜、抗菌処理や脱臭処理が施されていてもよいし、プラスチック等の合成樹脂製であってもよい。また、複数枚の下敷き部材１１が箱１９に収容されていてもよい。袋部材１２は、例えば、ポリ塩化ビニル等の合成樹脂製である。袋部材１２は、排泄物が収容されるため、外部から視認できない黒色であることが好ましい。手袋１８は、合成樹脂製やゴム製等であり、使い捨て、又は洗浄によって再利用が可能なものである。
【００１７】
吸水材セット１４は、二つの吸水材パック１５で構成されている。各吸水材パック１５は、吸水材１３が収容され、一方が排泄前用吸水材１６であり、他方が排泄後用吸水材１７である。一つの吸水材パック１５は、約１５０グラムである。吸水材１３は、使用済の紙おむつを原料としている。紙おむつは、例えば、ポリアクリル酸系ポリマー等の吸水性物質が含まれていることから、吸水材１３も、吸水性物質を有することとなる。したがって、原料である紙おむつは、吸水性物質が含まれたものであれば、使用済のペットシート、未使用の紙おむつやペットシートであってもよい。
【００１８】
ここで、吸水材１３の製造過程を図面に基づいて説明する。図２は、吸水材１３の製造過程の概略が示されている。
【００１９】
図２に示されているとおり、吸水材１３の原料である使用済紙おむつの廃棄物４を、コンテナ５などに収容しておく。廃棄物４として、例えば、約１２０キログラム（１００個程度）の使用済紙おむつが、処理装置６に投入される。処理装置６において、廃棄物４は、約１６から２０時間に渡って、水を用いることなく破砕され、水分が１０パーセント未満となるまで乾燥させられる。その間、約３時間に渡って、約８５度の温度で、減菌しょりされる。処理されてフラフとなった廃棄物４は、処理装置６から取り出され、ペレット製造機７に投入される。フラフは、ペレット製造機７でペレット状に整粒され、吸水材１３となる。その後、吸水材１３は、約１５０グラムずつに梱包され、吸水材パック１５となる。さらに、吸水材パック１５は、二つセット（排泄前用吸水材１６及び排泄後用吸水材１７）で梱包され、吸水材セット１４となる。なお、吸水材１３は、処理装置６において、又は、その他の製造過程において、適宜、脱臭処理、消臭処理、滅菌処理、抗菌処理等が施されてもよい。例えば、吸水材１３は、活性炭、ゼオライト、フラボノイド、タンニン、カテキン、ポリフェノールなどの消臭剤または脱臭剤が含浸されていてもよいし、例えば、ベンザルコニウム塩などの抗菌剤が含浸されていてもよい。
【００２０】
使用済紙おむつに含まれた吸水性物質には、紙おむつとして使用した際に排泄物を吸水しなかったものが含まれるため、これらの吸水性物質は、吸水材１３においても吸水機能を発揮する。一方、既に排泄物を吸水した吸水性物質もあるが、処理装置６において乾燥することで、吸水性物質中における水分が気化するため、吸水性物質は、再び、ある程度の吸水機能を発揮する。
【００２１】
次に、非常用トイレキット１０の使用方法を図面に基づいて説明する。図３は、非常用トイレキット１０の使用状態が示されている。
【００２２】
図３に示されているとおり、便座２が上がった状態で、下敷き部材１１を、便器１の内側であって水たまり部３の水面よりも上方に載置し、便器１の内側に嵌める。すなわち、下敷き部材１１によって水たまり部３を遮蔽する。次に、袋部材１２を、下敷き部材１１の上に載置すると共に、袋部材１２で便器１を覆い、便座２を下げる。次に、袋部材１２の中に排泄前用吸水材１６を敷く。この状態で、排泄されると、排泄物は、排泄前用吸水材１６に吸収される。その後、排泄後用吸水材１７を、排泄物の上から掛けると、仮に排泄前用吸水材１６に吸収されなかった排泄物が残っていた場合であっても、排泄後用吸水材１７によって残りの排泄物が吸収される。なお、各吸水材１６．１７を扱う際、手袋１８を着用してもよい。
【００２３】
以上のとおり、非常用トイレキット１０が構成されている。
【００２４】
次の、本実施形態の効果を説明する。
【００２５】
上記したとおり、本実施形態では、便器１の内側であって水たまり部３の水面よりも上方に載置される下敷き部材１１と、この下敷き部材１１の上に載置されると共に便器１を覆う袋部材１２と、この袋部材１２の中に敷かれる吸水材セット１４と、この吸水材セット１４を扱う際に用いられる手袋１８とを有しており（図１参照。）、吸水材１３が、使用済紙おむつを原料としている。非常用トイレキット１０は、既設の便器１に取り付けられるため、組み立ての手間や設置場所の確保が不要であり、簡便である。また、一般的に、紙おむつは吸水性物質を有しているため、紙おむつを原料とした吸水材１３も吸水機能を発揮し、排泄物を吸水する。したがって、非常用トイレキット１０は、既設のトイレを利用することができる。また、使用済の吸水材１３は、袋部材１２ごと便器１から取り外されるため、後片付けが容易である。また、可燃ごみであるため、そのまま廃棄することができる。
【００２６】
また、下敷き部材が、便器１の水たまり部３において水面よりも上方で便器１の内側によって支持される程度の大きさであるため、下敷き部材１１は、濡れることがなく、再利用することができる。また、袋部材１２も、下敷き部材１１に支持されるため、水たまり部３の水によって濡れることが無い。
【００２７】
本実施形態では、吸水材セット１４が、排泄前に袋部材１２の中に敷かれる排泄前用吸水材１６と、排泄後に排泄物に掛けられる排泄後用吸水材１７とを有しているため、排泄物は、排泄前用吸水材１６によって吸収され、排泄後用吸水材１７によって覆われると共に吸収される。したがって、排泄物の周囲を各吸水材１６，１７で覆うことで、完全に吸収することができる。また、外観上、排泄物を各吸水材１６，１７で遮蔽することができる。
【００２８】
本実施形態では、下敷き部材１１と、袋部材１２と、吸水材セット１４と、手袋１８とが、単一の箱１９に収容されている。したがって、例えば、災害時における備蓄品として、自宅や自治体等において保管すれば、災害時に備えることができる。また、仮設トイレ等の大掛かりなものではないため、保管や運搬が容易である。
【００２９】
なお、本考案の他の実施形態では、吸水材は一パックである。この場合、吸水材は、２００から３００グラムであり、一度の排泄において、二回又は三回に分けて用いられる。また、他の実施形態では、手袋を有していない。この場合、手袋を用いない、又は、他の市販の使い捨て手袋が用いられる。本考案の他の実施形態は、和式便器に用いられる。この場合、下敷き部材は、便器の内側全体に至る程度の大きさである。
【００３０】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００３１】
１    便器
２    便座
３    水たまり部
４    廃棄物
５    コンテナ
６    処理装置
７    ペレット製造機
１０  非常用トイレキット
１１  下敷き部材
１２  袋部材
１３  吸水材
１４  吸水材セット
１５  吸水材パック
１６  排泄前用吸水材
１７  排泄後用吸水材
１８  手袋
１９  箱
【図１】
0003224642.tif 000003
【図２】
0003224642.tif 000004
【図３】
0003224642.tif 000005